(57)【要約】      （修正有）【課題】Ｔシャツ・ポロシャツ・Ｙシャツ・ベスト自動車座席において伸縮性運動３Ｄストレッチ可能な伸縮性布地を用いて斜め捩れ皴や水洗後のパッカリング斜歪等を解消しうる裁断方法を提供する。【解決手段】２本の縄ロープのうち、１本目２は左撚縄ロープと２本目３は右撚縄ロープを合体繋目４を形成する。伸縮性吊り橋を形成する方法をＴシャツ首回りで二重布地で外側撚れ７と内側撚れ８を二重吊り橋原理でＢ左方向に伸張とＣ右方向伸張すると中心点Ａは伸縮性バランスを有するバインダーテープが出来上る。写真（ｇ）の外側布７と内側布８は非対面布地である。Ｇ襟の裏側布１１は伸縮性布地を用いる。さらに伸張状態で自動車座席を形成する方法でも３方向伸張性布地を用いる。Ｙ型Ｔ型伸張は伸張ダーツ布削除部１３とネヂレ空間継き足し補足部分Ｄの左右バイアス布により３方向の立体的伸張布地を裁断して縫合する。【選択図】図１
2007277787.tif 000002
【特許請求の範囲】
【請求項１】
伸縮性布地を製造する方法であって、図１（ａ）のポリウレタン高分子糸１の分子を図１（ｃ）の図の様に逆Ｓ型とＳ型を区別の発明は伸張分子が５捩高分子左糸で次に縮分子６捩高分子右糸が起す捩れ撚運動を（ストレッチャブルクロス）と云う。その左と右捩れのゼンマイ式方式で伸縮運動の布地を製造するにあたって、通常の右バイアス捩れ織布地を欠陥品とせずに、伸縮性を有する布地を裁断する方法であって〔図２〕（ｅ）の１枚の２ヶ折り布地の表地中心線９の８０度で編１０（織られ）た裏側１１は１００度斜編（織）を図２（ｃ）〜（ｄ）襟部を表７布地でＧ襟部１２を裏利用１１の反転作用する内側布面が互いに対面で裏と裏としない重ね合わされる工程、とからなることを特徴とするストレッチ出来る撚糸で編上げ又は布帛布地で織上げられた図３（ａ）１７左バイアス（ｂ）１５右バイアス布地の伸縮を活用で裁断することを特徴とする伸縮性を有する布地の製造方法と伸縮高分子センイを核とした伸縮理論を通常布地も共通した方法伸縮性工程、とからなることを特徴とする裁断方法。
【請求項２】
通常の右斜め捩れ表地で左バイアスと右バイアス布地をその表側の面が互いに対面（２枚合せ）する必要性布地は皮布やジィーンズ布地があげられる場合布地の縦方向を重要裁断方向であるが、ジィーンズ綾布地は５０度〜６０度斜め方向バイアス右綾布地の目である図４（ａ）の様に自動車シート布帛又は皮布地の横織糸皮布（伸びの少ない方向）１７を形成して伸縮方向糸９布中心線から約５０度〜約１３．７５度又は５２．５度〜１３．５度の相対性バイアス裁断でダーツ分量１３削除部を引込布Ｄでネヂレ量Ｚ引込む伸張性布地の自動車シートを形成する工程の裁断方法。
さらにジィーンズパンツ右綾織（右バイアス）を９布中心で図２表地右バイアス（ｆ）の裁断後（ｇ）１３のＶ型ダーツ分のＶ型削除１３ダーツで尻部布の伸縮性、伸張性ヒップアップ機能性の３方向の３Ｄストレッチャブル（伸縮性を有する）布地をＤ加入で裁断出来る工程、とからなることを特徴とする、３方向伸張力を有する裁断方法
【請求項３】
通常の布地の右斜め織り又は編地、ニットは平均８０度捩れ編、布帛布地も横織糸平均０．５度撚れる、原因は片方撚り（主に右）で起る欠陥を反転で又は反体運動で請求項１〜２は裁断されている布地をＴシャツ・ワイシャツ・上衣・パンツ・自動車シート用に図１（ｇ）の実物写真（Ｔシャツ）を裁断で縫い合せることを特徴とする請求項１〜２いずれかに記載の裁断方法、布地を用いた布地の縫製方法。
【発明の詳細な説明】
〔発明の詳細な説明〕
【０００１】〔発明の属する技術の分野〕本発明は伸縮性を有する布地の裁断方法に関する。
【０００２】〔従来の技術〕従来、例えは米国特許６８０００５９Ｂ２号や特願２０００−４００１２０号に開示されているように、ライクラ（Ｌｙｃｒａ）（エ・イ・デュポン・ド・ヌムール・アント・カンパニー（Ｅ．Ｉ．Ｄｕ  Ｐｏｎｔｄｅ  Ｎｅｍｏｕｒｓ  ＆．Ｃｏ，）社製。商品名。）のようなポリウレタンセンイ図１〜（ａ）即ち高分子センイの伸縮性によりＳ字形及ひ逆Ｓ字形高分子で左ネヂレと右ネヂレ糸と他の撚れ糸と撚合せ図１〜（ｂ）の伸縮出来る（Ｓｔｒｅｔｃｈａｂｌｅ  ＣＬＯＴＨＳ）布地（以下、ホリウレタンセンイ布地という。）や一般にナイロン＆コットンのようなニット編物や布帛布地のバイアス部を伸縮性左バイアス対右バイアス地という布や一般に皮布、プラスチックス成形布の横巾伸縮性布という。縦横８０度で織られた布が左バイアスと右バイアス交差が伸縮性を前提とした裁断方法が知られている。これらの方法によれば、縦横８０度で織られた布を４５〜５５度裁断バイアス（斜め）布地裁断の難点は〔図２〕〜（ｅ）の表布７は８０°で２枚布の下裏側１２１００°度布地の目反対方向が発生し左方向１００度バイアス捩れと右方向８０度バイアス捩れで２０度捩れで縫製された、ポリウレタンセンイのワイシャツは水洗い後、アイロンを掛けても捩れ皴は元にもどらない。
【発明が解決しようとする課題】
【０００３】しかしながら、従来の裁断方法では図５（ａ）〜（ｃ）に示すように、（ａ）の自動車皮座席はしわ（皴）字は皮＝しわと云う様に皴が出来るのが当り前、さらに、通常の布地その物が右８０度ネヂレ織だから表地に皴を出ない様な伸縮性原理の方法の考えを本発明者が高分子を反転する方法で発明されたのである。反転法Ｓｔｒｅｔｃｈａｂｌｅ  ＣＬＯＴＨＳ、従来の方法通常布地は最初から８０度や０．５度斜め欠陥布地や皮などは皴は直す事の出来ない物とされていた。
【課題を解決するための手段】
【０００４】本発明の発明者はまず８０度で大量生産された斜め右バイアス布地を９０度に直せるわけが無いと、昔フランス人ココシャネルが上衣の裾にナマリの錘りを入れたが布ネヂレを直す事が出来なかった、のは、まず糸の撚る方向で織られた布方向の一斜め方向に捩れて右斜に勝手に織り上る事に気付かなかった、つまりナマリの錘りやアイロン掛けでは直らないのは、ストレッチ出来る（Ｓｔｒｅｔｃｈａｂｌｅ）原理とは３Ｄつまり３方向で形成されている本発明者のジィーンズパンツ意願２００５−２００７５は２００６年３月３１日登録査定「３Ｄ  Ｓｔｒｅｔｃｈａｂｌｅ  ｊｅａｎｓ  ｐａｎｔｓ  綾織相対性バイヤス理論の物品」の様に３Ｄストレッチ式Ｔシャツの発明の図１（ｇ）の出来上り写真の様に３Ｄ立体的Ｔシャツ、Ａ・Ｂ・Ｃストレッチ３方向の機能を有する。
【０００５】〔発明の実施の形態〕以下、本発明の実施の形態は米国特許６８００１５９Ｂ２号の特願２０００−４００１２０号を本発明者ＵＳ．２００２００１４３００Ａ１に開示図１〜ｇを図に基づいて説明する。図１（ａ）〜（ｆ）は、伸縮部ポリウレタン高分子センイ１の土台又は骨組、を用いて（ｂ）左縄ヨリ２と右縄ヨリ３となる縄ヨリ中央４で結び又は繋ぎ目を形成して左方向Ｂと右方向Ｃに伸張すると４はｘ１方向にＡはｘ２で手前方向に、回転する、（ｃ）図は高分子右ネヂレ５（ｄ）図は高分子左ネヂレ６で図（ｃ）は逆Ｓ型ネヂレ右方向の右高分子撚の回転撚図ｅを形成されている本発明の３Ｄ（立体）ストレッチャブルで図１〜（ｇ）写真は伸縮性を果すことにある、センイの高分子又は粒子の伸縮方法。
【０００６】次に図１（ａ）は伸縮性高分子のポリウレタンセンイ１で（ｂ）はその高分子の糸と利用して他の糸非伸縮性（コットン又はナイロン）第と撚り合せで左撚り合せ糸２と右撚合せ糸３を形成して中央部４の結び部又は繋ぎ合せてから左方向Ｂ、右方向Ｃに２と３を伸張ストレッチすると、繋き合せ部４はｘ１方向に回転する。次にその伸張を中止するとその高分子センイは反転の逆回転ｘ２は反撥バネ運動で起る、図１〜（ｃ）図の高分子左逆Ｓ字型は反撥運動５右捩（ｃ）図で左捩（ｄ）図運動で形成し図１（ｃ）図の高分子左捩型は反撥運動の左捩（ｄ）６運動で右捩と左捩で反転起る相対性伸縮ポリウレタン新発見で図１（ｅ）〜ｘオートマチック（自動）縮も発見した。その原理の図１（ｇ）〜７表外布地８内側布地のＴシャツバインダーテープで説明すると、まずＴシャツ首回りは３方向３Ｄ立体的、伸縮性が必要でありＡを中心としてＢ左方、Ｃ右方向の３方向ストレッチ出来る布地理論が必要で、バインダーテープ内側８は反転布地７を使用し、中心（バインダー）Ａと身頃中心線で合体布１０は８０度ネヂレ布が基点であり、バインダーテープ外側表布７はＢの位置で内側布８右ネヂレ効果を作り出し次にＣの位置で外側表７は内側布８で、左ネヂレ効果は本図１〜（ｂ）左２ネヂレと右ネヂレ３の中央４の３方向３Ｄストレッチ効果である
【０００７】図２（ａ）〜（ｇ）は２枚の裏側布（ａ）１１と表側布（ｂ）７の斜め地の目布地表と裏それぞれに１１は裏布１２左斜１００度７表布地右斜め布地の欠陥斜め誤差は通常布の欠陥であるので、本発明はその欠陥地の目を逆利用の方法で反転原理で従来の不可能であったネヂレ皴を無くす布地の製造も可能となった（ｃ）７〜８をイ、ロ、ハの手順でロは裏布とイ表布を重ねてＢとＣを伸張すると二重布ロは二重釣り橋の空中効果Ａに発生する。さらにニット丸編ボデー（身頃）も前身と後身が約２０度のポリウレタン布での伸縮性を平均にする方法は、ポロシャツ襟表７でＧ襟は裏側布地１１を使用してもＧ襟は表側に出る事はめったにない、又袖部を裏側にする事によって反転伸縮が発生するのでボデー（身頃）ねぢれを少く出来る効果が発生し布地の部どまり分量も変らない効果的である最後に図２（ｅ）に示すように、折り返された１枚の布地７〜１１で、上前と下前を同時裁断で通常に裁断すると表布８０°度で下布は１００度裁断で形成されて２枚の布地はネヂレ現象の欠陥品がすべて布地の伸縮性を狂わす根元は撥り糸左ヨリ又は右ヨリ戻り反動から発生するので２ヶ折布地を両方使用のジーンズパンツを伸縮性中間点での目的で４５度バイアス裁断した場合、バイアス伸上り分量を図３（ｇ）ダーツ部Ｖ型１３でダーツ分量削除として形成しＤ布加入されることにより、２枚の布地が伸張して伸張性を有する布地が可能となる。
【０００８】図３（ａ）〜（ｅ）は布帛布地の短所は横織ネヂレ１７表布歪織り上がる率、約０．５度が表側布１６の布帛や皮布地で通常横巾伸張するが、縮性復元力は少ない斜めネヂレはクリーニング後に発生する短所を長所に変化させる方法で図３〜（ｄ）のワイシャツ襟１６布次に襟芯地１６’の布帛芯と表布地（ｂ）布地から裁断縦地裁断又は横地で（ｅ）ベスト上襟１６表地Ｇ襟裏側地１４にする事によりＧ襟の裏返し布で裁断後縫い付けられる。又身頃斜めネヂレを少くするには袖布１４を裏使用する。
【０００９】図４（ａ）〜（ｂ）本発明の伸縮出来る布地の１６裁断方法による自動車シート及び張布を張力を３方向に引力を掛ける方法で図４（ａ）は表布で左バイアス布（例えば１３．７５度）と右バイアス布（例えば５０度）のバイアス交差布裁断を矢印方向ダーツ分量Ｖ型削り部伸張して縫付又は取り付けＺに引込むＤ次に座席背もたれ１６の裁断方法下も３方向に引力を掛ける方法で（例えば右バイアス５２．５横織１７糸と左横織糸１７を１３．５度左バイアス）のバイアス相対性布地１３Ｖダーツを取分量を伸張させＺ削り取る。図４（ｂ）は左バイアス右バイアス交差裁断布地を表地と裏側に交互縫製してＶダーツ取伸張布地Ｚ削り取る３Ｄ立体３方向伸張するシート布地の裁断による縫製方法。
【００１０】図５（ａ）〜（ｃ）は通常、従来の裁断で（ａ）多数のネヂレ皴の皮布シート自動車座席１８や（ｂ）ワイシャツ襟のネヂレ皴１８、（ｃ）はＴシャツ襟バインダーテープネヂレ皴１８も修正する事が出来ない欠陥皴の実物である。
【実施例】
【００１１】（実施例１）
本発明の裁断方法糸撚り伸縮出来る高分子センイの左撚右撚図１〜（ａ）１を用いて２〜３をＢ〜Ｃ伸張させて中央部４をｘ１回転した後はｘ２反転回転する原理でポリウレタン高分子を回転と反転回転でＳ型分子と逆Ｓ型分子運動でＳｔｒｅｔｃｈａｂｌｅ伸縮出来る左撚と右撚で他の糸と撚せる伸縮糸の製造法。【００１２】（実施例２）
図１（ｆ）〜（ｇ）に示す本発明の方法で裁断したニット布地でＡ中心に左方向Ｂと右方向Ｃに伸張２〜３ストレッチが布地の縮む復元現象で製造されたＴシャツ襟の復元の伸縮出来る布地。【００１３】（実施例３）
図２（ａ）〜（ｅ）に示す本発明の８０度綾織り１０歪織り上り部表布使用７ニット布を反転布裏１１の綾織１００度歪織り１２を利用したＧ襟・バインダーテープ・袖部の伸縮出来る布地（Ｓｔｒｅｔｃｈａｂｌｅ  ＣＬＯＴＨＳ）。【００１４】（実施例４）
同図２（ｇ）に示す本発明のバイアス綾織１０の３方向の立体伸張布Ｖダーツ１３を削除し次に加入布Ｄで形成される表布用伸縮性裁断布地は図４（ａ）自動車シート左バイアスと右バイヤス布のＶダーツをＺでダーツ分量布削除して次に加入布Ｄで伸縮出来る布地の裁断とその縫製方法。
【発明の効果】
【００１５】本発明の裁断方法によれば、ニット、布帛布地、ポリウレタン布地、皮・プラスチック地の通常斜め布地（ニット８０°斜編地、布帛０．５斜め織地・皮又はプラスチック斜め布地）の斜め撚りで出来るネヂレ皴やピリング現象が起きずニットＴシャツ、ポロシャツ、ワイシャツ、ベスト、自動車シート等に逆返りネヂレ現象が起きないために左バイアス布と右バイアス布を交差を形成することができる裁断で縫製すると、ひっぱったり伸ばしたりしても元の形に戻る、復元力を有する布地が可能となる。
【図面の簡単な説明】
【００１６】
【図１】（ａ）〜（ｅ）は、本発明の第１の伸縮方法の手順を模式的に説明する説明図であり、（ｆ）〜（ｇ）は左布右布斜め地を模式的に示す部分面説明図である
【図２】（ａ）〜（ｅ）は本発明の第１の伸縮方法で表地とその裏側の裁断と、縫製方法の手順を模式的に示す説明図であり、（ｆ）〜（ｇ）は本発明の第２の裁断方法の手順を模式的に示す説明図である。
【図３】（ａ）〜（ｃ）は本発明の第１の伸縮方法で布帛地の表地（ｂ）と裏側地（ａ）の斜め横織糸の手順を模式的に示す説明図であり（ｃ）はｂ図を説明する斜地の写真布地であり（ｄ）〜（ｅ）はａ〜ｃの布地を利用して第１の伸縮方法でワイシャツ・ベストを裁断と縫製方法の襟の手順を示す説明図である。
【図４】（ａ）〜（ｂ）は本発明の第１と第２実施例の裁断手順を模式的に説明する説明図である。
【図５】（ａ）〜（ｃ）は模式的に説明する説明図である
【符号の説明】
【００１７】１……伸縮性高分子センイ（ポリウレタン・センイ）
２……左側撚り合せ糸
３……右側撚り合せ糸
４……左側撚り合せ糸と反対側撚り糸を中央繋部
５……高分子逆Ｓ字型のネヂレ伸縮体部分（左）
６……高分子Ｓ字型のネヂレ伸縮体部分（右）
ｘ……繋目左〜右糸４中央の伸縮空間
ｘ１……繋目４の外側（向側）方向伸張ネヂレ
ｘ２……繋目４の内側（手前側）方向伸縮戻りネヂレ
Ａ……繋目４とｘの伸縮空間の伸縮中間基点
Ｂ……左撚り糸２と右撚り糸３の左側伸縮空間
Ｃ……右撚り糸３と左撚り糸２の右側伸縮空間
７……表地……（ニット）表側布地（バインダー地にも使用）
８……バインダー地左バイアス裏側布地又は内側布地
９……布地の中心直線が基点とする（又は中央縫い目）
１０……地の目綾右平均８０度右バイアス（表側布）
１１……裏地（下地）……裏側布地反転した裏（ニット）
イ……Ｔシャツ第のバインダーテープ表側布
ロ……Ｔシャツ第のバインダーテープ内側布（芯地）
ハ……Ｔシャツ第のバインダーテープ非対面組合せ（表と裏）
ニ……Ｔシャツ第のポリウレタン布で左バイアスと右バイアス交差布
１２……地の目綾左平均１００度左バイアス（裏側布）
１３……ダーツ量布地の伸上り部分をダーツの削除部
Ｄ……継ぎ足し布地のネヂレ部量空間継ぎ足し補足部分
１４……布帛布地裏側反転布地  左側
１５……布帛布地裏側１７５度横織斜め部  左側
１６……表布帛布地  １６’は表布帛芯地部  右側
１７……表布帛布地  ０．５度横織斜め部  右側
１８……従来の布地で製造されたネヂレ布の欠陥製品の説明、（ａ）は自動車シートのネヂレ皴（ｂ）はワイシャツ襟のネヂレ皴、（ｃ）はＴシャツバインダー襟のネヂレ皴、ポリウレタン布ネヂレ大きい
Ｚ……ダーツＶ型１３ダーツ引力の受取り部
【図１】
2007277787.tif 000003
【図２】
2007277787.tif 000004
【図３】
2007277787.tif 000005
【図４】
2007277787.tif 000006
【図５】
2007277787.tif 000007